(57)【要約】【課題】  表面の水をスムーズに流し、表面に水を溜まりにくくする敷設用板材を提供する。【解決手段】  一方の主面が排水機能を有する敷設用板材であって、一方の主面は平坦であり、一方の主面の縁端部には、外側へ向うに従い一方の主面の反対側に傾斜する傾斜面とを備える。これにより、敷設用板材を一方の主面を鉛直上向きにしてバルコニー等に敷設したときには、主面の縁端部に設けられた傾斜面が外側に向かうに従い下方に傾斜しているため、傾斜面を伝わって主面上の水が流れ落ちる。その結果、敷設用板材の表面の水をスムーズに排水することが可能となり、水の溜まり難いデッキ、浴槽マット、キッチンマット等を提供することができる。その結果、たとえば、バルコニーに干した洗濯物を乾き易くすることができ、スリッパの滑りを防止することができる。【選択図】  図５
2006169848.tif 000002
【特許請求の範囲】
【請求項１】
一方の主面が排水機能を有する敷設用板材であって、
前記一方の主面は平坦であり、
前記一方の主面の縁端部には、外側へ向うに従い前記一方の主面の反対側に傾斜する傾斜面が設けられていることを特徴とする敷設用板材。
【請求項２】
一方の主面が排水機能を有する敷設用板材であって、
前記一方の主面に、前記一方の主面の縁端部から設けられた少なくとも１つの溝と、
前記溝の、前記一方の主面の縁端部側に、外側へ向うに従い前記一方の主面の反対側に傾斜する第１の傾斜面と、を備えることを特徴とする敷設用板材。
【請求項３】
前記第１の傾斜面は、前記溝が伸びる方向に平行で前記主面に垂直な平面による断面の輪郭が、２ｍｍ以上の曲率半径を有する曲線、または長さが２ｍｍ以上で前記溝が伸びる方向と前記主面に垂直な方向との正接が０．５から２の直線であることを特徴とする請求項２に記載の敷設用板材。
【請求項４】
前記溝は、前記一方の主面の縁端部側において溝幅が扇形に拡大する形状に形成されており、
前記第１の傾斜面には、切欠溝が形成されていることを特徴とする請求項２または請求項３に記載の敷設用板材。
【請求項５】
一方の主面が排水機能を有する敷設用板材であって、
前記一方の主面に、前記一方の主面の縁端部から設けられた少なくとも１つの溝を備え、
前記溝は、前記一方の主面の縁端部側において溝幅が扇形に拡大する形状に形成されていることを特徴とする敷設用板材。
【請求項６】
一方の主面が排水機能を有する敷設用板材であって、
前記一方の主面に、前記一方の主面の縁端部から設けられた少なくとも１つの溝を備え、
前記溝は、前記一方の主面の縁端部側に向かうに従い深くなる形状に形成されていることを特徴とする敷設用板材。
【請求項７】
前記溝の縁部に、前記溝の中央側に向かうに従い前記一方の主面の反対側に傾斜する第２の傾斜面を備えることを特徴とする請求項２から請求項６のいずれかに記載の敷設用板材。
【請求項８】
前記溝の底部は、前記溝の伸びる方向に垂直な平面による断面形状がＵ字状またはＶ字状となるように形成されていることを特徴とする請求項２から請求項７のいずれかに記載の敷設用板材。
【請求項９】
前記敷設用板材の成分のうち、３０重量％以上が樹脂であることを特徴とする請求項１から請求項８のいずれかに記載の敷設用板材。
【発明の詳細な説明】
【技術分野】
【０００１】
本発明は、バルコニー等に敷設され、一方の主面が排水機能を有する敷設用板材に関する。
【背景技術】
【０００２】
近年、バルコニー等の美観や機能性を向上させるために、人工芝等に代えて、木製やプラスチック製、陶器製等のデッキパネルが敷設されることが多くなっている。このようなデッキパネルのうち、プラスチック製パネルは取り扱いが簡単で、腐食しないことから、特にプラスチック製パネルを部材としたバルコニーデッキの需要が増している。図１２は、従来のデッキ材５１の斜視図である。図８に示すように、従来のデッキ材５１は、主面５２、側面５３、および側面５４を有する直方体の板形状である。従来のデッキ材５１の主面５２には溝５９が設けられ、それに平行して凸部６０が形成されている。溝５９は、主面の一方の縁端部５５から他方の端部まで設けられており、溝５９の縁部には、傾斜が設けられ、凸部６０は上に丸く突出するように形成されている。このように、溝５９および凸部６０を設けているのは防滑性を向上させるためである。溝５９の端部６１は、溝５９がそのままの形状で側面５３によって切り取られた形状を有しており、略直角のエッジが形成されている。凸部６０の端部６５には、面取り加工を行ない、傾斜面を設けている。
【０００３】
デッキ材に関する文献では、もっぱらデッキ表面から溢れた雨水をスムーズに流すための排水路に関する技術が提案されている（たとえば特許文献１および特許文献２参照）。特許文献１に記載されるデッキ材は、床板上の端部に敷設され、幅方向側部に長手方向に沿う凹状の排水溝部を有し、排水溝部の底面をデッキ材の幅方向側部からデッキ材中央部に向かう下り傾斜面に形成している。さらに、排水溝部のデッキ材中央側の側面の上部を側面の下部よりも排水溝部内方に張出するように形成し、溝上部に遮蔽部を形成している。このようにして、デッキ材の排水溝部に流れ込んだ雨水を排水溝部底面のいたるところに残存させることなく略一箇所に集積し、さらにはその集積した雨水が見えにくいようにデッキ材を構成している。
【０００４】
また、特許文献２に記載されるデッキ材の排水溝構造は、デッキ材の幅方向側部に排水溝部を設け、この排水溝部の上面開口部を溝カバー部材により被覆している。そして、排水溝部は、溝底部の幅方向中間部に係合凹部と、両側部に段状の当接部を有し、溝カバー部材は、天板部と、天板部の幅方向中間部から下方に突出させた係合凸部と、側端部を有している。溝カバー部材の係合凸部を排水溝部の係合凹部に揺動可能に係合させた状態では、両側端部のいずれか一方が当接部に当接可能となっている。このようにして、押し出し成形後に長孔を穿孔することなく一工程で製造することができ、かつ容易に雨水をデッキ材の排水溝に流入させることができるデッキ材の排水溝構造を提案している。
【特許文献１】特開２００１−１３２０９１号公報
【特許文献２】特開２００１−２７０２０号公報
【発明の開示】
【発明が解決しようとする課題】
【０００５】
しかしながら、上記のようなデッキ材５１の主面５２には、降雨時に雨水が残りやすく、雨上がりには水が乾き難い。すなわち、主面５２が水に濡れた場合に、溝５９の端部６１においては、水が溝５９内に残りやすく、さらに表面張力により水が玉になって集まってしまう。このような場合に、バルコニーに洗濯物を干すと、洗濯物は乾き難くなる。また、水の溜まったデッキ材表面を、スリッパを履いて歩いた場合には、スリッパが濡れて滑りやすくなる。なお、凸部６０の端部６５には、面取り加工がなされているが、これは触れた物を傷つけないようにしたり、取り扱いや使用の際にけがの発生を防止したりするための加工である。デッキ材５１の溝５９には傾斜が設けられてはいない。
【０００６】
これらのデッキ材５１の主面５２に設けられた凹凸は防滑性を向上させるためのものであり、排水性については効果が小さい。したがって、雨天時にはこれらの溝５９の有無にかかわらず、表面に水が残る。また、上記特許文献に記載されているように、デッキ表面から溢れた雨水をスムーズに流すための排水路に関する技術はこれまでに提案されているが、デッキ材の表面に溜まった雨水を減らすという課題は未解決である。
【０００７】
本発明は、このような事情に鑑みてなされたものであり、表面の水をスムーズに流し、表面に水を溜まりにくくする敷設用板材を提供することを目的とする。
【課題を解決するための手段】
【０００８】
（１）上記の目的を達成するため、本発明の敷設用板材は、一方の主面が排水機能を有する敷設用板材であって、前記一方の主面は平坦であり、前記一方の主面の縁端部には、外側へ向うに従い前記一方の主面の反対側に傾斜する傾斜面が設けられていることを特徴としている。
【０００９】
このように、本発明の敷設用板材は、一方の主面の縁端部に、外側へ向うに従いその反対側に傾斜する傾斜面を備えている。したがって、敷設用板材を、一方の主面を鉛直上向きにしてバルコニー等に敷設したときには、主面の縁端部に設けられた傾斜面が外側に向かうに従い下方に傾斜しているため、傾斜面を伝わって主面上の水が流れ落ちる。これにより、敷設用板材の主面上の水をスムーズに排水することが可能となり、水の溜まり難いデッキ、浴槽マット、キッチンマット等を提供することができる。その結果、たとえば、バルコニーに干した洗濯物を乾き易くすることができ、スリッパの滑りを防止することができる。
【００１０】
（２）また、本発明の敷設用板材は、一方の主面が排水機能を有する敷設用板材であって、前記一方の主面に、前記一方の主面の縁端部から設けられた少なくとも１つの溝と、前記溝の、前記一方の主面の縁端部側に、外側へ向うに従い前記一方の主面の反対側に傾斜する第１の傾斜面と、を備えることを特徴としている。
【００１１】
このように、本発明の敷設用板材は、溝の一方の主面の縁端部側に、外側へ向うに従い一方の主面の反対側に傾斜する傾斜面を備えている。したがって、敷設用板材を、一方の主面を鉛直上向きにしてバルコニー等に敷設したときには、主面の縁端部に設けられた第１の傾斜面が外側に向かうに従い下方に傾斜しているため、溝内を縁端部まで伝わった水が流れ落ちる。これにより、敷設用板材の主面上の水をスムーズに排水することが可能となり、水の溜まり難いデッキ、浴槽マット、キッチンマット等を提供することができる。その結果、たとえば、バルコニーに干した洗濯物を乾き易くすることができ、スリッパの滑りを防止することができる。
【００１２】
（３）また、本発明の敷設用板材は、前記第１の傾斜面は、前記溝が伸びる方向に平行で前記主面に垂直な平面による断面の輪郭が２ｍｍ以上の曲率半径を有する曲線、または長さが２ｍｍ以上で前記溝が伸びる方向と前記主面に垂直な方向との正接が０．５から２の直線であることを特徴としている。
【００１３】
このように曲率半径が２ｍｍ以上の曲面、またはおよそ面取り幅２ｍｍ以上の面取りにより、表面張力で水が一方の主面の縁端部に留まるのを防ぎ、傾斜による排水の効果を顕著にすることができる。その結果、敷設用板材の主面上の水をさらにスムーズに排水することを可能にする。
【００１４】
（４）また、本発明の敷設用板材は、前記溝が、前記一方の主面の縁端部側において溝幅が扇形に拡大する形状に形成されており、前記第１の傾斜面には、切欠溝が形成されていることを特徴としている。
【００１５】
このように溝端部で切欠溝が形成された第１の傾斜面により、溝端部まで流れ込んだ水が切欠溝に集まり、流れ落ち易くなる。すなわち、溝端部の水が切欠溝に流れ込むことで、表面張力で溝に水が留まるのを防ぎ、傾斜による排水の効果を高めることができる。その結果、敷設用板材の主面上の水をさらにスムーズに排水することを可能にする。
【００１６】
（５）また、本発明の敷設用板材は、一方の主面が排水機能を有する敷設用板材であって、前記一方の主面に、前記一方の主面の縁端部から設けられた少なくとも１つの溝を備え、前記溝は、前記一方の主面の縁端部側において溝幅が扇形に拡大する形状に形成されていることを特徴としている。
【００１７】
このように、本発明の敷設用板材では、一方の主面の縁端部側において溝幅が扇形に拡大する。したがって、敷設用板材を、一方の主面を鉛直上向きにしてバルコニー等に敷設したときには、溝内を縁端部まで伝わった水が溝幅の拡大する方向に流れ易くなる。これにより、敷設用板材の主面上の水をスムーズに排水することが可能となり、水の溜まり難いデッキ、浴槽マット、キッチンマット等を提供することができる。その結果、たとえば、バルコニーに干した洗濯物を乾き易くすることができ、スリッパの滑りを防止することができる。
【００１８】
（６）また、本発明の敷設用板材は、一方の主面が排水機能を有する敷設用板材であって、前記一方の主面に、前記一方の主面の縁端部から設けられた少なくとも１つの溝を備え、前記溝は、前記一方の主面の縁端部側に向かうに従い深くなる形状に形成されていることを特徴としている。
【００１９】
このように、本発明の敷設用板材では、溝が一方の主面の縁端部側に向かうに従い深くなる。したがって、敷設用板材を、一方の主面を鉛直上向きにしてバルコニー等に敷設したときには、溝内の水は、溝が深くなる方向に伝わり、一方の主面の縁端部まで流れ易くなる。これにより、敷設用板材の主面上の水をスムーズに排水することが可能となり、水の溜まり難いデッキ、浴槽マット、キッチンマット等を提供することができる。その結果、たとえば、バルコニーに干した洗濯物を乾き易くすることができ、スリッパの滑りを防止することができる。
【００２０】
（７）また、本発明の敷設用板材は、前記溝の縁部に、前記溝の中央側に向かうに従い前記一方の主面の反対側に傾斜する第２の傾斜面を備えることを特徴としている。
【００２１】
これにより、敷設用板材を一方の主面を鉛直上向きにしてバルコニー等に敷設したときには、一方の主面の溝を形成しない部分から溝内に水が流れ易くなる。そして、溝内に流れ込んだ水は溝を伝わって外部に排出され易くなる。その結果、敷設用板材の主面上の水をさらにスムーズに排水することを可能にする。
【００２２】
（８）また、本発明の敷設用板材は、前記溝の底部が、前記溝の伸びる方向に垂直な平面による断面形状がＵ字状またはＶ字状となるように形成されていることを特徴としている。
【００２３】
このように溝の底部の断面がＵ字状またはＶ字状に形成されているため、たとえば溝の底部の断面が矩形である場合と比較すると、溝に流れ込んだ水が溝の端部まで流れ易くなる。すなわち、溝の表面と水との接触による相互の分子間力や水の粘性により、溝に流れ込んだ水は溝に留まろうとするが、上記の溝の形状により、溝に流れ込んだ水を流れ易くすることができる。
【００２４】
（９）また、本発明の敷設用板材は、前記敷設用板材の成分のうち、３０重量％以上が樹脂であることを特徴としている。
【００２５】
これにより、樹脂成分の撥水性が傾斜面における水の流れを促進し、傾斜による排水の効果を高めることができる。その結果、敷設用板材の主面上の水をさらにスムーズに排水することを可能にする。
【発明の効果】
【００２６】
本発明の敷設用板材によれば、一方の主面の縁端部に、外側へ向うに従いその反対側に傾斜する傾斜面を備えている。したがって、敷設用板材を一方の主面を鉛直上向きにしてバルコニー等に敷設したときには、主面の縁端部に設けられた傾斜面が外側に向かうに従い下方に傾斜しているため、傾斜面を伝わって主面上の水が流れ落ちる。これにより、敷設用板材の主面上の水をスムーズに排水することが可能となり、水の溜まり難いデッキ、浴槽マット、キッチンマット等を提供することができる。その結果、たとえば、バルコニーに干した洗濯物を乾き易くすることができ、スリッパの滑りを防止することができる。
【００２７】
また、本発明の敷設用板材によれば、溝の一方の主面の縁端部側に、外側へ向うに従い一方の主面の反対側に傾斜する傾斜面を備えている。したがって、敷設用板材を一方の主面を鉛直上向きにしてバルコニー等に敷設したときには、主面の縁端部に設けられた第１の傾斜面が外側に向かうに従い下方に傾斜しているため、溝内を縁端部まで伝わった水が流れ落ちる。これにより、敷設用板材の主面上の水をスムーズに排水することが可能となり、水の溜まり難いデッキ、浴槽マット、キッチンマット等を提供することができる。その結果、たとえば、バルコニーに干した洗濯物を乾き易くすることができ、スリッパの滑りを防止することができる。
【００２８】
また、本発明の敷設用板材によれば、曲率半径が２ｍｍ以上の曲面、またはおよそ面取り幅２ｍｍ以上の面取りにより、表面張力で水が一方の主面の縁端部に留まるのを防ぎ、傾斜による排水の効果を顕著にすることができる。その結果、敷設用板材の主面上の水をさらにスムーズに排水することを可能にする。
【００２９】
また、本発明の敷設用板材によれば、溝端部で切欠溝が形成された第１の傾斜面により、溝端部まで流れ込んだ水が切欠溝に集まり、流れ落ち易くなる。すなわち、溝端部の水が切欠溝に流れ込むことで、表面張力で溝に水が留まるのを防ぎ、傾斜による排水の効果を高めることができる。その結果、敷設用板材の主面上の水をさらにスムーズに排水することを可能にする。
【００３０】
また、本発明の敷設用板材によれば、一方の主面の縁端部側において溝幅が扇形に拡大する。したがって、敷設用板材を一方の主面を鉛直上向きにしてバルコニー等に敷設したときには、溝内を縁端部まで伝わった水が溝幅の拡大する方向に流れ易くなる。これにより、敷設用板材の主面上の水をスムーズに排水することが可能となり、水の溜まり難いデッキ、浴槽マット、キッチンマット等を提供することができる。その結果、たとえば、バルコニーに干した洗濯物を乾き易くすることができ、スリッパの滑りを防止することができる。
【００３１】
また、本発明の敷設用板材によれば、溝が一方の主面の縁端部側に向かうに従い深くなる。したがって、敷設用板材を一方の主面を鉛直上向きにしてバルコニー等に敷設したときには、溝内の水は、溝が深くなる方向に伝わり、一方の主面の縁端部まで流れ易くなる。これにより、敷設用板材の主面上の水をスムーズに排水することが可能となり、水の溜まり難いデッキ、浴槽マット、キッチンマット等を提供することができる。その結果、たとえば、バルコニーに干した洗濯物を乾き易くすることができ、スリッパの滑りを防止することができる。
【００３２】
また、本発明の敷設用板材によれば、敷設用板材を一方の主面を鉛直上向きにしてバルコニー等に敷設したときには、一方の主面の溝を形成しない部分から溝内に水が流れ易くなる。そして、溝内に流れ込んだ水は溝を伝わって外部に排出され易くなる。その結果、敷設用板材の主面上の水をさらにスムーズに排水することを可能にする。
【００３３】
また、本発明の敷設用板材によれば、溝の底部の断面がＵ字状またはＶ字状に形成されているため、たとえば溝の底部の断面が矩形である場合と比較すると、溝に流れ込んだ水が溝の端部まで流れ易くなる。すなわち、溝の表面と水との接触による相互の分子間力や水の粘性により、溝に流れ込んだ水は溝に留まろうとするが、上記の溝の形状により、溝に流れ込んだ水を流れ易くすることができる。
【００３４】
また、本発明の敷設用板材によれば、樹脂成分の撥水性が傾斜面における水の流れを促進し、傾斜による排水の効果を高めることができる。その結果、敷設用板材の主面上の水をさらにスムーズに排水することを可能にする。
【発明を実施するための最良の形態】
【００３５】
本発明は、敷設用板材の排水性について鋭意検討した結果、傾斜に対して水の表面張力が勝る場合には、水が流れないことに鑑みてなされたものである。以下に本発明の実施の形態について、図面を参照しながら説明する。また、説明の理解を容易にするため、各図面において同一の構成要素に対しては同一の参照番号を附し、重複する説明は省略する。
【００３６】
（実施形態１）
図１は、デッキ材１（敷設用板材）を示す斜視図、図２は、デッキ材１の平面図、図３は、デッキ材１の正面図、図４は、デッキ材１の側面図である。図に示すように、デッキ材１は、主面２、側面３および側面４を有する直方体の板形状である。主面とは、板形状において厚みに方向に対向する最も広い二対の面をいう。なお、図１に示すデッキ材１は、直方体の板形状であるが、このような形状に限定されず、主面２の輪郭が多角形や曲線である板形状であってもよい。
【００３７】
デッキ材１の一方の主面２には、複数の溝９が平行して設けられている。このため、溝９に対して相対的に突出する凸部１０が溝９に平行して形成されている。図１に示すように、溝９は、主面２の一方の縁端部５から他方の縁端部６まで直線的に形成されている。なお、これ以外の溝９の形状であっても、その一端が、主面２のいずれかの縁端部に到達するように形成されていれば、その縁端部に到達する部分から水が流れるため、発明の効果を奏する。たとえば、溝９が主面２の縁端部から中央まで伸びる形状であってもよい。
【００３８】
図５は、デッキ材１の端部を拡大した斜視図である。図５に示すように、溝９の縁端部５側には、傾斜面１１（第１の傾斜面）が設けられている。傾斜面１１は、デッキ材１の外側に向かうに従い、デッキ材１に対して主面２の反対側に傾斜している。したがって、デッキ材１を、主面２を鉛直上向きにしてバルコニー等に敷設したときには、主面２の縁端部５に設けられた傾斜面１１が外側に向かうに従い下方に傾斜しているため、溝９内を縁端部５まで伝わった水が流れ落ちる。これにより、デッキ材１の主面２上の水をスムーズに排水することが可能となる。その結果、たとえば、バルコニーに干した洗濯物を乾き易くすることができ、スリッパの滑りを防止することができる。
【００３９】
傾斜面１１は、溝９が伸びる方向に平行な平面により切られた断面の輪郭が、曲率半径４ｍｍの円弧である。傾斜面１１の形状は特に限定されないが、溝９が伸びる方向に平行で主面２に垂直な平面により切られた傾斜面１１の断面の輪郭が、曲率半径２ｍｍ以上の弧、または長さが２ｍｍ以上で溝９が伸びる方向と主面２に垂直な方向との正接が０．５から２の直線であることが好ましい。このように傾斜面１１を曲率半径が２ｍｍ以上の曲面とするか、またはおよそ面取り幅２ｍｍ以上の面取りとすることにより、表面張力で水が一方の主面の縁端部に留まるのを防ぎ、傾斜による排水の効果を顕著にすることができる。その結果、デッキ材１の主面上の水をさらにスムーズに排水することを可能にする。さらには、溝９が伸びる方向に平行で主面に垂直な平面により切られた傾斜面１１の断面の輪郭が、曲率半径４ｍｍ以上の円弧、または長さが４ｍｍ以上で溝９が伸びる方向と主面２に垂直な方向との正接が０．５から２の直線４であることが特に好ましい。このような形状では排水効果が特に顕著である。
【００４０】
溝９は傾斜面１１において、溝幅が外側に向かって扇形状に拡がっている。図２に示すように、主面２の中央から縁端部５にわたり溝９の溝幅はほぼ等しい。しかし、縁端部５付近では、外側に向かうに従い溝幅が大きくなっている。すなわち、傾斜面の上方の部分１１ａでは溝幅は小さいが、傾斜面の上方の部分１１ｂでは溝幅が大きい。したがって、デッキ材１を、主面２を鉛直上向きにしてバルコニー等に敷設したときには、溝９内を縁端部５まで伝わった水が溝幅の拡大する方向に流れ易くなる。これにより、デッキ材１の主面２上の水をスムーズに排水することが可能となり、水の溜まり難いデッキ等を提供することができる。
【００４１】
また、溝９は主面２の中央から縁端部５側に向かうに従い、深くなるように形成されている。すなわち、溝９の主面中央側の部分９ａより溝９の中央と端部の中間部分９ｂの方が溝の深さが大きい。さらに、溝９の中央と端部の中間部分９ｂより溝９の端部９ｃの方が溝の深さが大きい。したがって、デッキ材１を、主面２を鉛直上向きにしてバルコニー等に敷設したときには、溝９内の水は、溝が深くなる方向に伝わり、主面２の縁端部５まで流れ易くなる。これにより、デッキ材１の主面２上の水をスムーズに排水することが可能となり、水の溜まり難いデッキ等を提供することができる。
【００４２】
また、溝９の縁部１２には、溝の中央側に向かうに従い、一方の主面２の反対側に傾斜する傾斜面（第２の傾斜面）が形成されている。言い換えれば、凸部１０は上に丸く突出するように形成されている。これにより、デッキ材１を、主面２を鉛直上向きにしてバルコニー等に敷設したときには、主面２の溝を形成しない部分から溝９内に水が流れ易くなる。そして、溝９内に流れ込んだ水は溝９を伝わって外部に排出され易くなる。その結果、デッキ材１の主面２上の水をさらにスムーズに排水することを可能にする。なお、縁部１２の傾斜面の形状は特に限定されないが、溝９が伸びる方向に平行で主面２に垂直な平面により切られた傾斜面１１の断面の輪郭が、曲率半径２ｍｍ以上の円弧、または長さ２ｍｍ以上で溝９が伸びる方向と主面２に垂直な方向との正接が０．５から２の直線であることが好ましい。
【００４３】
図６は、図２および図３で示す主面２に垂直な面Ａによりデッキ材１を切断したときの断面図である。図６に示すように、主面２において複数の溝９はそれぞれ同一の形状に形成されている。溝の底部の断面形状は矩形であるが、これに限定されるものではない。主面２の反対側は、開口しており、溝９の伸びる方向に平行な仕切り２１および溝９の伸びる方向に垂直な仕切り２２により空隙２０が形成されている。また、空隙２０内部の主面２の裏側には、リブ２４が形成されている。これにより、デッキ材１を軽量で強度の大きいものとすることができる。また、樹脂を用いて射出成形により形成した場合には、空隙２０の容積分の原料が不要となるため、原料費を低く抑え低コストで製造することを可能にする。
【００４４】
図７は、図２に示す面Ｂおよび面Ｂ' によりデッキ材１を切断したときの断面図である。面Ｂは、凸部１０が伸びる方向に沿った主面２に垂直な面であり、面Ｂ'は、溝９が伸びる方向に沿った主面２に垂直な面である。図７に示すように、面Ｂに沿って、仕切り２１と仕切り２２とが交差する位置には、ビス孔２６が設けられている。ビス孔２６は、デッキ材１を台座（図示せず）に留めるためのものである。
【００４５】
デッキ材１の材料は、特に限定されず、プラスチック、木、セラミックス等を用いることができる。ただし、樹脂成分が３０重量％以上の材料を用いることが好適である。これにより、樹脂成分の撥水性が傾斜面における水の流れを促進し、傾斜による排水の効果を高めることができる。その結果、デッキ材１の主面２上の水をさらにスムーズに排水することを可能にする。また、樹脂としては、特に撥水性の高いポリプロピレン、ポリエチレン、スチレン系樹脂（ＡＢＳ、ＡＳ、ＡＳＡ、ＳＡＳ、ＡＥＳ、ＰＳ、ＨＩＰＳ）を材料として用いることが好適である。また、木質感を向上させるために、樹脂に対し３重量％以上の木粉を混合させてもよい。ただし、デッキ材１の材料がこれらに限定されるものではない。
【００４６】
上記のようなデッキ材１は、たとえば上記のような形状の金型を作り、この金型を用いてプラスチックを射出成形することにより製造される。特に製造方法に制限はなく、プラスチックをブロー成形してもよいし、押出成形後に研削等の加工を行なってもよい。また、木、セラミックスを原料とする場合でも、特に製造方法に制限はない。
【００４７】
このようにして製造されたデッキ材１は、互いに連結させて敷き詰めることが可能な台座（図示せず）にビスで固定し、敷設用部材として用いる。台座は、デッキ材１をビス留め可能に形成されており、デッキ材１を数枚（たとえば４枚）固定したものを１ピースとする。これにより、バルコニーの広さに応じ、上記の敷設用部材を敷き詰めることが可能になる。
【００４８】
たとえば、このようにデッキ材１が固定された敷設用部材を敷設したバルコニーに、雨が降ったときには、デッキ材１の主面２に雨水がかかる。このとき、凸部１０の上にかかった水は、溝９の縁部１２に設けられた傾斜面により、溝９に流れ込む。そして、溝９内の水は、溝９の傾斜により主面の縁端部５および６の方向に流れ、縁端部の傾斜面１１を伝わって、側面３の上を流れ落ちる。さらに、端部において溝幅が扇状に拡大しているために、排水が促進される。このようにして、デッキ材１上の水がスムーズに排水される。
【実施例１】
【００４９】
上記のデッキ材１を、主面２を鉛直上方に向けて載置し、主面２の上に水を撒いて排水の効果を検証した。比較例としては、図１２に示すような従来のデッキ材５１を用いた。
【００５０】
以下に検証に用いた実施例としてデッキ材１の寸法を説明する。主面２の長手方向（溝の伸びる方向）の長さは、２９５ｍｍ、幅方向の長さは７０ｍｍである。デッキ材１の厚み方向の長さは、２０ｍｍである。主面２の上には同一形状の溝９が１２本設けられている。それぞれの溝９の間隔は、５．５ｍｍである。溝９の縁部１２において、溝９の伸びる方向に垂直な断面の輪郭が、長径５ｍｍ、短径４ｍｍで上に長い楕円の１／２π分の弧となっている。溝の深さは、主面２の中央部で２．５ｍｍ、縁端部で３．０であり、最深部は１４８ｍｍあたり０．５ｍｍの傾斜面となっている。この最深部の傾斜面は、主面２の中央部から縁端部にわたり幅１．５ｍｍの平坦面である。溝９は、縁端部５付近では、主面２に垂直に見たときに曲率半径２．０で扇状に拡がる形状である。溝９の端部には傾斜面１１が形成され、溝９が伸びる方向に平行な平面により切られた傾斜面１１の断面の輪郭は、曲率半径５．０ｍｍの弧である。検証に用いたデッキ材１は、ＡＢＳ樹脂の混合物を射出成形により形成した。
【００５１】
また、以下に比較例として検証に用いた従来のデッキ材５１の寸法を説明する。主面５２の長手方向（溝の伸びる方向）の長さは、２９５ｍｍ、幅方向の長さは７０ｍｍである。デッキ材１の厚み方向の長さは、２０ｍｍである。主面５２の上には同一形状の溝５９が１２本設けられている。それぞれの溝５９の間隔は、５．５ｍｍである。溝５９の縁部６２において、溝５９の伸びる方向に垂直な断面の輪郭が、長径５ｍｍ、短径４ｍｍで上に長い楕円の１／２π分の弧となっている。溝５９の深さは、２．５ｍｍで一定であり、最深部は幅１．５ｍｍの平坦面である。溝９の端部には傾斜面はなく、そのままエッジとなっている。従来のデッキ材５１もデッキ材１と同様に、ＡＢＳ樹脂の混合物を射出成形により形成した。
【００５２】
以下に試験方法について説明する。まず、上記の寸法および形状のデッキ材１の重量を秤で計測した。秤には０．１まで計測可能で、市販の秤を用いた。次に、主面２に水を静かにかけて、水の動きが止まるまで待った。待ち時間は約５分であった。次に、主面２に残った水とともにデッキ材１の重量を秤で計測した。最後に水をかける前後の重量の差をとることにより、残存した水の重量を算出した。比較例のデッキ材５１についても同様にして計測を行なった。
【００５３】
上記の試験の結果、実施例のデッキ材１については、主面２に残存した水の重量が、５ｇであった。一方、比較例のデッキ材５１については、主面５２に残存した水の重量が、２０ｇであった。したがって、排水性を向上するという本発明の効果が確認された。なお、上記の試験では溝幅を１．５ｍｍとしたが、２ｍｍに拡大して壁面抵抗を抑制するとさらに水の排出に効果的である。
【００５４】
（実施形態２）
上記の実施形態１において、図５に示す傾斜面１１は等高線が直線となるような緩い傾斜の形状であるが、傾斜面に切欠溝を形成してもよい。図８は、傾斜面に切欠溝を形成されたデッキ材３１の斜視図、図９はデッキ材３１の側面図である。図８および図９に示すように、デッキ材３１の溝３９の傾斜面４１には、切欠溝４５が形成されている。切欠溝４５は、断面がU字状となる曲面により形成され、溝３９に連続的につながっている。なお、切欠溝の形状は断面がV字状となるように形成されていてもよい。切欠溝４５の底面と側面とは滑らかにつながった曲面である。
【００５５】
デッキ材３１の一方の主面３２には、複数の溝３９が平行して設けられている。このため、溝３９に対して相対的に突出する凸部４０が溝３９に平行して形成されている。溝３９は、主面３２の一方の縁端部３５から他方の縁端部まで直線的に形成されている。図１０は、図８における平面Ｐによりデッキ材３１を切断したときの断面図である。溝３９の底部は、図１０に示すように溝３９の伸びる方向に垂直な平面による断面形状がＵ字状となるように形成されている。これにより、たとえば図６に示すように溝の底部の断面が矩形である場合と比較すると、溝に流れ込んだ水が溝の端部まで流れ易くなる。すなわち、溝の表面と水との接触による相互の分子間力や水の粘性により、溝に流れ込んだ水は溝に留まろうとするが、上記の溝の形状により、溝に流れ込んだ水を流れ易くすることができる。凸部４０の断面形状の輪郭は、溝３９方向へ緩やかに傾斜している。これにより、さらに凸部４０上の水は溝３９へと流れ易くなる。また、射出成形によりデッキ材３１を形成する場合には、脱型が容易となる。溝３９は浅く形成されており、水が溝３９を流れる際に溝３９の側面によって壁面抵抗が生じるのを防止している。また、壁面抵抗を抑制するためには、溝３９の溝幅は２ｍｍ程度であることが好ましい。なお、溝３９の伸びる方向に垂直な平面による断面形状は、Ｖ字状となるように形成されていてもよい。
【００５６】
傾斜面４１は、デッキ材３１の外側に向かうに従い、デッキ材３１に対して主面３２の反対側に傾斜している。すなわち、デッキ材３１を、主面３２を鉛直上向きにしてバルコニー等に敷設したときには、主面３２の縁端部３５に設けられた傾斜面４１が外側に向かうに従い下方に傾斜している。そして傾斜面４１には、デッキ材３１の本体側に窪むように切欠溝４５が形成されている。溝３９から切欠溝４５まで溝は連続的につながっていてもよいし、つながっていなくてもよい。図１１は、図８における平面Ｑによりデッキ材３１を切断したときの断面図である。このように切欠溝４５は下に窪んでおり、凸部４０と切欠溝４５の底部との境界４６も断面形状が滑らかな曲線となっている。図１０の溝３９の断面と比較すると、底部において溝４５の断面の方が深くなっている。
【００５７】
このような切欠溝４５が傾斜面４１に形成されることにより、流れ込んだ水が切欠溝４５に集まり、流れ落ち易くなる。すなわち、溝３９の端部の水が切欠溝４５に流れ込むことで、表面張力で溝３９に水が留まるのを防ぎ、傾斜による排水の効果を高めることができる。その結果、敷設用板材の主面上の水をさらにスムーズに排水することを可能にする。
【００５８】
（実施形態３）
上記の実施形態１では、デッキ材１の主面２に溝９を設けているが、一方の主面がまったく溝を設けない平坦な面で、その主面の縁端部の少なくとも一部に斜面を形成することとしてもよい。その場合、斜面は、その主面の外側に向かうにつれて、デッキ材に対してその主面の反対側に傾斜する。したがって、デッキ材を、一方の主面を鉛直上向きにしてデッキ等に敷設したときには、主面の縁端部に設けられた傾斜面が外側に向かうに従い下方に傾斜しているため、傾斜面を伝わって主面上の水が流れ落ちる。これにより、デッキ材の主面上の水をスムーズに排水することが可能となり、水の溜まり難いデッキ、浴槽マット、キッチンマット等を提供することができる。その結果、たとえば、バルコニーに干した洗濯物を乾き易くすることができ、スリッパの滑りを防止することができる。なお、斜面は、曲面であっても、面取りによる平面であってもよい。
【００５９】
なお、以上はデッキ材を例に挙げて、敷設用板材の実施形態について説明したが、デッキ材に限定されず、浴槽マット、キッチンマット等についても本発明は適用可能である。
【図面の簡単な説明】
【００６０】
【図１】本発明に係る敷設用板材の第１の実施形態を示す斜視図である。
【図２】本発明に係る敷設用板材の第１の実施形態を示す平面図である。
【図３】本発明に係る敷設用板材の第１の実施形態を示す正面図である。
【図４】本発明に係る敷設用板材の第１の実施形態を示す側面図である。
【図５】第１の実施形態の敷設用板材の端部付近を拡大した斜視図である。
【図６】本発明に係る敷設用板材の第１の実施形態を示す断面図である。
【図７】本発明に係る敷設用板材の第１の実施形態を示す断面図である。
【図８】第２の実施形態の敷設用板材の端部付近を拡大した斜視図である。
【図９】本発明に係る敷設用板材の第２の実施形態を示す側面図である。
【図１０】本発明に係る敷設用板材の第２の実施形態を示す断面図である。
【図１１】本発明に係る敷設用板材の第２の実施形態を示す断面図である。
【図１２】従来の敷設用板材の端部付近を拡大した斜視図である。
【符号の説明】
【００６１】
１、３１  デッキ材（敷設用板材）
２、３２  主面
３、４  側面
５、６、３５  縁端部
９、３９  溝
１０、４０  凸部
１１、４１  傾斜面（第１の傾斜面）
１２  縁部（第２の傾斜面）
４５  切欠溝
【図１】
2006169848.tif 000003
【図２】
2006169848.tif 000004
【図３】
2006169848.tif 000005
【図４】
2006169848.tif 000006
【図５】
2006169848.tif 000007
【図６】
2006169848.tif 000008
【図７】
2006169848.tif 000009
【図８】
2006169848.tif 000010
【図９】
2006169848.tif 000011
【図１０】
2006169848.tif 000012
【図１１】
2006169848.tif 000013
【図１２】
2006169848.tif 000014